(57)【特許請求の範囲】
【請求項１】
第１の画面領域と第２の画面領域とを区分する境界を移動させる移動手段と、
前記第１の画面領域に第１の映像コンテンツと前記第１の映像コンテンツに関連する第１の情報とを互いに重ならないように表示させ、そして前記第２の画面領域に第２の映像コンテンツを表示させる表示手段と、を備え、
前記表示手段はさらに、前記境界の移動に伴って、前記第１の映像コンテンツが表示される大きさを変更し、そして前記第１の情報の表示位置を、前記第１の情報の大きさを変更せずに変更することを特徴とする情報端末装置。
【請求項２】
前記表示手段はさらに、前記第２の画面領域に前記第２の映像コンテンツと前記第２の映像コンテンツに関連する第２情報とを互いに重ならないように表示させ、そして前記境界の移動に伴って、前記第２の映像コンテンツが表示される大きさを変更するとともに、前記第２の情報の表示位置を、前記第２の情報の大きさを変更せずに変更することを特徴とする請求項１に記載の情報端末装置。
【請求項３】
前記境界が移動されたとき、前記境界の位置に基づいて前記第１および第２の映像コンテンツに対応する音声の大きさを調整する音量調整手段をさらに備え、
前記音量調整手段は、前記境界の位置に基づいて前記第１および第２の映像コンテンツのうち一方の映像コンテンツに対応する前記音声を消去する請求項１ないし２の何れか一項に記載の情報端末装置。
【請求項４】
情報端末装置における表示方法であって、
第１の画面領域と第２の画面領域とを区分する境界を移動させる移動ステップと、
前記第１の画面領域に第１の映像コンテンツと前記第１の映像コンテンツに関連する第１の情報とを互いに重ならないように表示させ、そして前記第２の画面領域に第２の映像コンテンツを表示させる表示ステップと、を含み、
前記表示ステップはさらに、前記境界の移動に伴って、前記第１の映像コンテンツが表示される大きさを変更し、そして前記第１の情報の表示位置を、前記第１の情報の大きさを変更せずに変更することを特徴とする表示方法。
【発明の詳細な説明】
【技術分野】
【０００１】
本発明は、情報端末装置に関し、特に、携帯電話機やＰＤＡ（Personal Digital Assistant）等の携帯端末装置に用いて好適なものである。
【背景技術】
【０００２】
現在、映像コンテンツ（テレビ番組等）を視聴可能な携帯電話機が商品化され普及しつつある。この種の携帯電話機として、たとえば、以下の特許文献１に記載のものが知られている。
【０００３】
特許文献１の携帯電話機では、上側筐体と下側筐体がヒンジ部によって連結され、折り畳み可能となっている。上側筐体には表示部（ディスプレイ面）が配されており、下側筐体にはキー入力部が配されている。ここで、ディスプレイ面は縦長矩形形状を有している。
【０００４】
かかる携帯電話機では、本体を縦向きにした状態の他、横向きにした状態においても、ディスプレイ面に映像コンテンツを表示することができる。本体を横向きにした状態では、たとえば、横長（ワイドモード）にて、映像コンテンツをディスプレイ面上に拡大表示することができる。
【先行技術文献】
【特許文献】
【０００５】
【特許文献１】特開２００５−０１２４９３号公報
【発明の概要】
【発明が解決しようとする課題】
【０００６】
上記特許文献１では、携帯電話機本体が上側筐体と下側筐体に分離されているが、携帯電話機本体を一つの筐体とし、その前面を全てディスプレイ面とすることも可能である。この場合、操作ボタンは、たとえば、ディスプレイ面上にタッチパネルとして配置することができる。こうすると、ディスプレイ面は、映像コンテンツを表示するための領域と、操作ボタンを表示するための領域に区分され、操作ボタンの表示領域にタッチパネルが配されることとなる。
【０００７】
ところで、このようにディスプレイ面が拡張された場合には、ディスプレイ面全体を映像表示領域として活用することもできる。この場合、たとえば２つのテレビ番組の映像（動画像）を同時に表示させることが可能となる。こうすると、ユーザは、２つのテレビ番組を同時に楽しむことができる。
【０００８】
しかし、この場合には、各映像の音量をどのようにして調整するかが問題となる。映像が一つの場合には、適宜、音量調整ボタンを操作する等して音量の調整が可能である。しかし、映像が２つになると、一つの音量調整ボタンのみでは円滑に音量調整を行えない。映像毎に個別に音量調整ボタンを配することも考えられるが、こうすると、ボタンの配置が複雑になり、ユーザにおいてもボタン操作が煩雑になる。他方、一つの音量調整ボタンのみで２つの映像の音量を調整しようとすると、音量調整の対象となる映像を指定する操作が必要となり、やはり操作が煩雑となる。よって、このように２つの映像を同時に表示する場合には、各映像の音量調整を手軽に行えるようにする構成が別途必要となる。
【０００９】
本発明は、このような課題に鑑みてなされたものであり、同時に表示された各動画像の
音量を簡易な操作にて手軽に調整することができる情報端末装置を提供することを目的とする。
【課題を解決するための手段】
【００１０】
上記課題に鑑み本発明は、以下の特徴を有する。
【００１１】
本発明の第１の態様に係る情報端末装置は、第１の画面領域と第２の画面領域とを区分する境界を移動させる移動手段と、前記第１および第２の画面領域にそれぞれ第１および第２の動画像を表示させる画像表示手段と、前記第１および第２の動画像に対応する音声を出力するための音声出力手段と、前記境界の位置に基づいて前記第１および第２の動画像に対応する前記音声の大きさを調整する音量調整手段とを有することを特徴とする。
【００１２】
本発明の第２の態様は、第１の態様に係る情報端末装置において、前記音量調整手段は、前記第１および第２の画面領域のうち前記境界の移動により拡大した方の領域に表示された動画像に対応する音声を大きくすることを特徴とする。
【００１３】
本発明の第３の態様は、第１または第２の態様に係る情報端末装置において、前記音量調整手段は、前記第１および第２の画面領域のうち前記境界の移動により縮小した方の領域に表示された動画像に対応する音声を小さくし、または、消去することを特徴とする。
【００１４】
本発明の第４の態様は、第１の態様に係る情報端末装置において、前記音量調整手段は、前記第１および第２の画面領域のうち前記境界の移動により縮小した方の領域に表示された動画像に対応する音声を大きくすることを特徴とする。
【００１５】
本発明の第５の態様は、第１または第４の態様に係る情報端末装置において、前記音量調整手段は、前記第１および第２の画面領域のうち前記境界の移動により拡大した方の領域に表示された動画像に対応する音声を小さくし、または、消去することを特徴とする。
【００１６】
本発明の第６の態様は、第１の態様に係る情報端末装置において、前記音量調整手段は、前記境界の位置と前記第１および第２の動画像のジャンルに基づいて前記第１および第２の動画像に対応する音声の大きさを調整することを特徴とする。
【００１７】
本発明の第７の態様は、第１ないし第６の態様の何れかに係る情報端末装置において、前記音量調整手段は、前記第１および第２の画面領域のうちユーザによりタッチされた方の領域に表示された動画像に対応する音声の大きさを調整する、
ことを特徴とする。
【発明の効果】
【００１８】
上記各態様の情報端末装置によれば、第１の画面領域と第２の画面領域との境界を移動させるという１つの操作によって、第１の動画像や第２の動画像に対応する音声の大きさを調整することができ、各動画像の音量調整を簡易に行うことができる。
【００１９】
また、第６の態様によれば、境界の位置と各動画像のジャンルに基づいて音声の大きさが調整されるので、各動画像に対して、ジャンルに応じた適正な音量調整を行うことができる。
【００２０】
さらに、第７の態様によれば、たとえば、境界の移動に基づく音量の調整が行われた後に、適宜、各領域にタッチすることで、個々の領域に表示された動画像の音量を円滑に微調整することができる。よって、各動画像に対する音声を、簡便な操作にてより良好な音量に調整することができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係る、携帯電話機の外観構成を示す図
【図２】実施の形態に係る、テレビモードおよびメールモードの画面表示例を示す図
【図３】実施の形態に係る携帯電話機の全体構成を示すブロック図
【図４】実施の形態に係る音声増減テーブルを説明するための図
【図５】実施の形態に係るダブル映像表示モードにおける音量制御動作のフローチャート
【図６】実施の形態に係る各画面領域のサイズが変更されたときの表示画面と音量の状態を示す図
【図７】変更例１に係る各画面領域のサイズが変更されたときの表示画面と音量の状態を示す図
【図８】変更例２に係る音声増減テーブルを説明するための図
【図９】変更例２に係る制御パターン設定テーブルを説明するための図
【図１０】変更例２に係る各画面領域Ｒ１、Ｒ２のサイズが変更されたときの表示画面と音量の状態を示す図
【図１１】変更例２に係る音量調整のためのモード設定の動作のフローチャート
【図１２】変更例２に係るバー６の移動中に適用される音量制御について説明するための図
【図１３】変更例２に係る制御パターンのユーザ設定について説明するための図
【図１４】変更例２に係るユーザ設定に用いられる音声増減テーブルを説明するための図
【発明を実施するための形態】
【００２３】
以下、本発明の実施形態につき図面を参照して説明する。なお、本実施の形態では、画像を映し出す面のことをディスプレイ面と称し、このディスプレイ面全面に映し出される画像のことを表示画面と称する。
【００２４】
図１は、本発明の情報端末装置の一実施形態である携帯電話機の外観構成を示す図である。同図（ａ）、（ｂ）、（ｃ）はそれぞれ、正面図、右側面図、背面図である。
【００２５】
図１を参照して、本実施の形態の携帯電話機は、その外郭を構成するキャビネット１を備える。キャビネット１は、正面視で縦長矩形状を有する。キャビネット１の正面側には、液晶表示器２が配されており、この液晶表示器２のディスプレイ面３がキャビネット１の正面に臨んでいる。ディスプレイ面３は、キャビネット１と同様、縦長矩形状を有しており、キャビネット１正面のほぼ全面を占めている。
【００２６】
液晶表示器２の前方には、透明なタッチパネル４が配されている。タッチパネル４は、ユーザに押されたディスプレイ面３上の位置を検出し、その位置に応じた信号（位置信号）を出力する。タッチパネル４の前方には、透明な保護パネル５が配されている。保護パネル５は、タッチパネル４が傷つかないよう保護するものである。
【００２７】
ディスプレイ面３に表示される表示画面には、水平方向に延びるバー６が含まれている。バー６は表示画面を上下２つの領域に区切る。バー６より上の領域が第１画面領域Ｒ１となり、下の領域が第２画面領域Ｒ２となる。第１画面領域Ｒ１には、主として、テレビ画像や写真画像、テキスト画像などが表示される。また、第２画面領域Ｒ２には、主とし
て、種々の機能ボタンが配置される。なお、後述するダブル映像表示モードでは、第１画面領域Ｒ１に１つの映像コンテンツが表示され、第２画面領域Ｒ２にもう１つの映像コンテンツが表示される。
【００２８】
バー６は、ジョグダイヤル７の操作により、表示画面上を上下に移動させることができる。ジョグダイヤル７は、キャビネット１背面の中央部に設けられており、上下方向に回転する。ジョグダイヤル７が上方向に回転すると、バー６が上方に移動し、ジョグダイヤル７が下方向に回転すると、バー６が下方に移動する。なお、機能モードによっては、ユーザによるタッチパネル４の操作に応じて、バー６が上下移動する場合もある。
【００２９】
ジョグダイヤル７の左右には、それぞれ、Ｒボタン８とＬボタン９が配されている。これらＲボタン８およびＬボタン９により、一定の処理を行うための操作を行うことができる。
【００３０】
キャビネット１の内部には、その上部にカメラモジュール１０が配されている。このカメラモジュール１０の撮像レンズ１０ａとフラッシュ部１０ｂとがキャビネット１の背面に配されている。
【００３１】
さらに、キャビネット１には、その上端部に、左右のスピーカからなる第１スピーカ装置１１が配されており、その下端部に、左右のスピーカからなる第２スピーカ装置１２が配されている。ダブル映像表示モードにおいて、第１スピーカ装置１１は、第１画面領域Ｒ１に表示された映像コンテンツの音声を出力し、第２スピーカ装置１２は、第２画面領域Ｒ２に表示された映像コンテンツの音声を出力する。
【００３２】
この携帯電話機では、バー６を所定の位置に固定することにより、各種の機能モード（メールモード、テレビモード、ミュージックモード、インターネットモード、カメラモードなど）の表示画面の切替えを行うことができる。
【００３３】
このため、表示画面上には、上下方向に複数の固定位置（たとえば、Ｌ１〜Ｌ６）が設定されている。たとえば、ユーザが、ジョグダイヤル７を操作して、バー６を固定位置Ｌ５に移動させ、バー６が固定位置Ｌ５にある状態でＲボタン８を押すと、テレビモードの表示画面が表示される。さらに、バー６を固定位置Ｌ６に移動させてＲボタン８を押すと、テレビモードの表示画面からメールモードの表示画面に切り替わる。
【００３４】
図２（ａ）は、テレビモードの画面表示例を示す。また、同図（ｂ）は、メールモードの画面表示例を示す。テレビモードにおいては、図２（ａ）に示すように、映像コンテンツ（テレビ番組などの動画像）が第１画面領域Ｒ１に表示され、映像表示に関連する操作のための複数の機能ボタンが第２画面領域Ｒ２に表示される。このテレビモードでは、所定のボタン操作が行われることによって、さらに、ダブル映像表示モードが実行される。ダブル映像表示モードは、２つの映像コンテンツ（たとえば、テレビ番組）を同時に表示するモードであり、このモードについては後に詳述する。
【００３５】
メールモードにおいては、同図（ｂ）に示すように、入力された文字などが第１画面領域Ｒ１に表示され、メールの入力や送受信のための機能ボタンが第２画面領域Ｒ２に表示される。なお、機能ボタンは、機能の文字を四角い線で囲むなどすることで、隣の機能との境界が分かるような表示とされている。
【００３６】
図３は、本実施の形態に係る携帯電話機の全体構成を示すブロック図である。携帯電話機は、図１により説明した構成部品の他、ＣＰＵ１００、メモリ１０１、第１ＴＶモジュール１０２、第２ＴＶモジュール１０３、映像エンコーダ１０４、マイク１０５、音声エ
ンコーダ１０６、通信モジュール１０７、バックライト駆動回路１０８、映像デコーダ１０９、音声デコーダ１１０、音声出力回路１１１を備えている。
【００３７】
第１ＴＶモジュール１０２は、ＴＶチューナ、ＤＥＭＵＸ（Demultiplexer）などを含
み、アンテナ１０２ａを介して受信した地上ディジタル放送波、地上アナログ放送波などの電波を映像信号や音声信号に変換してＣＰＵ１００に送る。第２ＴＶモジュール１０３も、第１ＴＶモジュール１０２と同様な構成を有し、アンテナ１０３ａを介して受信した地上ディジタル放送波、地上アナログ放送波などの電波を映像信号や音声信号に変換してＣＰＵ１００に送る。
【００３８】
カメラモジュール１０には、撮像素子１０ｃが設けられている。撮像レンズ１０ａから取り込まれた被写体の像は、撮像素子１０ｃ上に結像される。撮像素子１０ｃは、例えばＣＣＤからなり、取り込んだ画像に応じた撮像信号を生成し、映像エンコーダ１０４へ出力する。映像エンコーダ１０４は、撮像素子１０ｃからの撮像信号を、ＣＰＵ１００が処理できるディジタルの撮像信号に変換してＣＰＵ１００へ出力する。
【００３９】
マイク１０５は、音声信号を電気信号に変換して音声エンコーダ１０６へ出力する。音声エンコーダ１０６は、マイク１０５からの音声信号を、ＣＰＵ１００が処理できるディジタルの音声信号に変換してＣＰＵ１００へ出力する。
【００４０】
通信モジュール１０７は、ＣＰＵ１００からの音声信号や画像信号、テキスト信号などを無線信号に変換し、アンテナ１０７ａを介して基地局へ送信する。また、アンテナ１０７ａを介して受信した無線信号を音声信号や画像信号、テキスト信号などに変換してＣＰＵ１００へ出力する。
【００４１】
液晶表示器２は、液晶表示パネル２ａと、液晶表示パネル２ａの光源となるバックライト装置２ｂを備えている。バックライト駆動回路１０８は、ＣＰＵ１００からの制御信号に応じた電圧信号をバックライト装置２ｂに供給する。バックライト装置２ｂは、電圧信号に応じた光量を液晶表示パネル２ａに供給する。映像デコーダ１０９は、ＣＰＵ１００からの映像信号を液晶表示パネル２ａで表示できるアナログの映像信号に変換し、液晶表示パネル２ａに出力する。液晶表示パネル２ａは、映像信号に応じた画像をディスプレイ面３に表示する。
【００４２】
音声デコーダ１１０は、ＣＰＵ１００からの音声信号を第１スピーカ装置１１および第２スピーカ装置１２で出力できるアナログの音声信号に変換し音声出力回路１１１に出力する。音声出力回路１１１には、音声デコーダ１１０から音声信号が入力されるとともに、ＣＰＵ１００から音量調整のための制御信号が入力される。音声出力回路１１１は、入力された音声信号をＣＰＵ１００からの制御信号に従って増幅し、第１スピーカ装置１１および第２スピーカ装置１２に出力する。第１スピーカ装置１１および第２スピーカ装置１２は、音声出力回路１１１からの音声信号を音声として再生する。
【００４３】
メモリ１０１には、カメラモジュール１０で撮影した画像データや通信モジュール１０７を介して外部から取り込んだ画像データ、テキストデータ（メールデータ）などが所定のファイル形式で保存されている。また、メモリ１０１には、第１ＴＶモジュール１０２や第２ＴＶモジュール１０３、通信モジュール１０７により外部から取得した映像コンテンツが、そのジャンル情報とともに保存されている。
【００４４】
メモリ１０１は、ＲＡＭ、ＲＯＭを含む。ＲＡＭは、ＣＰＵ１００が液晶表示器２に表示する画像を生成するときのワークエリアとして機能する。ＲＯＭには、ＣＰＵ１００を動作させるための制御プログラムが記憶されている。ＲＯＭには、また、図４に示す音量
増減テーブルが記憶されている。このテーブルは、ダブル映像表示モードにおける音量制御に使用される。
【００４５】
図４（ａ）に示すように、本実施の形態では、ダブル映像表示モードの表示画面において、バー６が、たとえば、中央位置（Ａ７の位置）から上方にＡ１の位置まで、下方にＡ１３の位置まで移動するよう制御される。音量増減テーブルには、図４（ｂ）に示すように、バー６の位置に応じた第１スピーカ装置１１および第２スピーカ装置１２の音量の増減値が設定されている。この音量増減テーブルは、バー６が中央位置から下方へ移動される（第１画面領域Ｒ１が拡大される）と、第１スピーカ装置１１の音量が大きくされるとともに第２スピーカ装置１２の音量が小さくされ、バー６が上方へ移動される（第２画面領域Ｒ２が拡大される）と、第２スピーカ装置１２の音量が大きくされるとともに第１スピーカ装置１１の音量が小さくされる設定にされている。
【００４６】
ＣＰＵ１００は、タッチパネル４、ジョグダイヤル７、Ｒボタン８、Ｌボタン９、マイク１０５、撮像素子１０ｃなど各部からの入力信号に基づいて、通信モジュール１０７、映像デコーダ１０９、音声デコーダ１１０などの各部に制御信号を出力することにより、各種の機能モード（通話モード、メールモード、インターネットモード、テレビモード、カメラモードなど）の処理を行う。
【００４７】
また、ＣＰＵ１００は、ダブル映像表示モードにおいて、第１ＴＶモジュール１０２や第２ＴＶモジュール１０３によって取得した異なる２つの映像コンテンツを、映像エンコーダ１０９を通じて液晶表示パネル２ａに同時に表示させる。また、このダブル映像表示モードにおいて、ＣＰＵ１００は、第１画面領域Ｒ１の映像コンテンツの音声を第１スピーカ装置１１から出力させ、第２画面領域Ｒ２の映像コンテンツの音声を第２スピーカ装置１２から出力させる。そして、ＣＰＵ１００は、バー６を移動させる操作が行われると、それに応じて、第１画面領域Ｒ１と第２画面領域Ｒ２の比率を変更するとともに、バー６の位置に基づき、上記音量増減テーブルに従って、第１スピーカ装置１１および第２スピーカ装置１２から出力される音量を変更する。
【００４８】
以下、ダブル映像表示モードにおける音量制御について、図５および図６を用いて詳細に説明する。図５は、音量制御動作を示すフローチャートである。また、図６は、各画面領域Ｒ１、Ｒ２のサイズが変更されたときの表示画面と音量の状態を示す図である。
【００４９】
ＣＰＵ１００は、図２（ａ）に示すテレビモードの表示画面において、ユーザによってダブル映像表示モードへの移行操作がなされると（Ｓ１０１：ＹＥＳ）、図６（ａ）に示すように、異なる２つの映像コンテンツを、各画面領域Ｒ１、Ｒ２に同時に表示させる（Ｓ１０２）。たとえば、第１ＴＶモジュール１０２により取得した映像コンテンツを第１画面領域Ｒ１に表示させ、第２ＴＶモジュール１０３により取得した映像コンテンツを第２画面領域Ｒ２に表示させる。この他、通信モジュール１０７によって外部から取得した映像コンテンツや予めメモリ１０１に記録（録画）された映像コンテンツを、同時に表示させることもできる。
【００５０】
図６（ａ）に示すように、ダブル映像表示モードの初期状態では、バー６が表示画面の中央に位置しており、第１画面領域Ｒ１と第２画面領域Ｒ２は、等しい大きさとされている。各映像コンテンツは、各画面領域Ｒ１、Ｒ２に、縦向き表示される。各画面領域Ｒ１、Ｒ２において、映像コンテンツが表示された領域以外の領域（以下、「情報表示領域」という）には、チャンネル番号やジャンル名など、映像コンテンツに関連する情報が表示される。第１画面領域Ｒ１の映像コンテンツの音声は、第１スピーカ装置１１から出力され、第２画面領域Ｒ２の映像コンテンツの音声は、第２スピーカ装置１２から出力される。バー６は、ユーザの操作によって上下に所定範囲（図中のＡ１からＡ１３）だけ移動可
能とされている。この所定範囲は、たとえば、バー６の移動によって一方の画面領域が縮小したときに、映像コンテンツの表示サイズが縮小されないような範囲とすることができる。
【００５１】
このような状態から、ユーザは、一方の映像コンテンツをメインに見たいと考えた場合には、その映像コンテンツが表示された画面領域を大きくする操作を行う。すなわち、ユーザは、バー６を指などでタッチして、その映像コンテンツが表示された画面領域が拡がる方向にそのバー６を移動させる。
【００５２】
ダブル映像表示モードの動作中、ＣＰＵ１００は、バー６が移動したか否かを監視している。ユーザの操作によってバー６が移動されると、ＣＰＵ１００は、バー６が移動したと判断して（Ｓ１０３：ＹＥＳ）、第１画面領域Ｒ１と第２画面領域Ｒ２をバー６の位置に応じた新たな比率に変更する（Ｓ１０４）。さらに、ＣＰＵ１００は、バー６の位置に基づいて、上記音量増減テーブルの設定値に従い、第１スピーカ装置１１と第２スピーカ装置１２の音量を変更する（Ｓ１０５）。
【００５３】
たとえば、図６（ｂ）に示すように、バー６が下方に移動されると、第１画面領域Ｒ１が拡大して、その情報表示領域が大きくなるとともに、第２画面領域Ｒ２が縮小して、その情報表示領域が小さくなる。また、バー６の移動量に応じて、第１画面領域Ｒ１に表示された映像コンテンツの音量が大きくなり、第２画面領域Ｒ２に表示された映像コンテンツの音量が小さくなる。
【００５４】
一方、図６（ｃ）に示すように、バー６が上方に移動されると、第２画面領域Ｒ２が拡大して、その情報表示領域が大きくなるとともに、第１画面領域Ｒ１が縮小して、その情報表示領域が小さくなる。また、バー６の移動量に応じて、第１画面領域Ｒ２に表示された映像コンテンツの音量が大きくなり、第１画面領域Ｒ１に表示された映像コンテンツの音量が小さくなる。
【００５５】
こうして、ＣＰＵ１００は、ダブル映像表示モードの動作中、バー６が移動される度に、それに応じて各映像コンテンツの音量を変更する。そして、ユーザにより、ジョグダイヤル７が長押しされるなどの戻り操作がなされると（Ｓ１０６：ＹＥＳ）、ダブル映像表示モードを終了して、図２（ａ）に示す最初のテレビモードの表示画面を表示させる。
【００５６】
なお、図６（ｂ）、（ｃ）に示す、画面領域のサイズが変更された状態において、ユーザは、さらに、各画面領域Ｒ１、Ｒ２の音量を個々に調整することができる。すなわち、ユーザが拡大された画面領域を指などでタップすると、その画面領域の映像コンテンツの音量が、１回のタップに付き一定量だけさらに大きくされる。反対に、ユーザが縮小された画面領域を指などでタップすると、その画面領域の映像コンテンツの音量が、１回のタップに付き一定量だけさらに小さくされる。
【００５７】
この場合、ＣＰＵ１００は、タッチパネル４からの信号により、各画面領域Ｒ１、Ｒ２の何れかがタップされたかを判別する。そして、ＣＰＵ１００は、タップされた領域が拡大された画面領域であれば、その画面領域の映像コンテンツの音量を一定量だけ大きくし、タップされた領域が縮小された画面領域であれば、その画面領域の映像コンテンツの音量を一定量だけ小さくするよう音声出力回路１１１を制御する。
【００５８】
また、ユーザがチャンネルを変更したい場合には、ジョグダイヤル７を上方に回動させることで、第１画面領域Ｒ１のチャンネルを切り替えることができ、ジョグダイヤル７を下方に回動させることにより、第２画面領域Ｒ２のチャンネルを切り替えることができる。
【００５９】
以上のように、本実施の形態では、ダブル映像表示モードにおいて、ユーザがどちらかの映像コンテンツをメインに見たいと考え、その映像コンテンツの画面領域を拡大する操作を行うと、その操作に連動して拡大された画面領域の音量が大きくされ、縮小された画面領域の音量が小さくされる。よって、ユーザは、メインに見たい画面領域を拡大させた後に、逐一、その画面領域の音量を大きくし、さらに縮小された画面領域の音声を小さくする、という操作を行わなくてもよい。したがって、ユーザによる操作を簡略化できて、ユーザの使い勝手を向上させることができる。
【００６０】
また、本実施の形態では、各画面領域のサイズ変更に伴って音量が変更された後に、所望の画面領域をタップすることで、その画面領域の音量をさらに調整することができる。したがって、ユーザの使い勝手を一層向上させることができる。
【００６１】
なお、上記実施の形態では、縮小された画面領域の音量が小さくされる構成とされているが、これに限らず、縮小された画面領域の音声が消去（ミュート）される構成とされてもよい。
【００６２】
また、上記実施の形態では、拡大された画面領域がタップされると、その画面領域の音量が大きくされ、縮小された画面領域がタップされると、その画面領域の音量が小さくされる構成とされている。しかし、音量調整の操作としては、タップに限らず、たとえば、画面領域を指などでタッチして上下や左右になぞるような操作とされてもよい。この場合、一方向になぞると音量が大きくされ、他方向になぞると音量が小さくされる構成とすることができる。
【００６３】
以上、本発明の実施形態について説明したが、本発明はこれに限定されるものではなく、また、本発明の実施形態も、特許請求の範囲に示された技術的思想の範囲内において、適宜、種々の変更が可能である。たとえば、本発明の実施形態は、以下のように変更され得る。
【００６４】
＜変更例１＞
図７は、変更例１に係る、各画面領域Ｒ１、Ｒ２のサイズが変更されたときの表示画面と音量の状態を示す図である。
【００６５】
上記実施の形態では、一方の画面領域が拡大されると、情報表示領域は拡大されるが、映像コンテンツの表示サイズは変わらない。
【００６６】
これに対し、変更例１の構成では、同図（ｂ）、（ｃ）に示すように、一方の画面領域がある程度まで拡大されると、映像コンテンツの表示の向きが横向きとされ、その表示サイズが拡大されるよう構成されている。これのような構成とすることにより、ユーザは、所望の映像コンテンツを大きな表示サイズで見ることができる。
【００６７】
＜変更例２＞
上記実施の形態では、一方の画面領域が拡大されると、それに応じて拡大された領域の音量を大きくするようにしている。しかしながら、特に、上記変更例１のような構成とされた場合、同時に表示される２つの映像コンテンツのジャンルの組合せなどによっては、画面領域が拡大されたときに音量を大きくすることが必ずしも最適でないことも有り得る。
【００６８】
たとえば、一方の画面領域の映像コンテンツのジャンルが「スポーツ」であり、他方の画面領域の映像コンテンツのジャンルが「ニュース」である場合において、「ニュース」
側の画面領域が拡大された場合には、「ニュース」側の画面領域の音量が大きくされることが望ましいが、反対に「スポーツ」側の画面領域が拡大された場合には、拡大された「スポーツ」側の画面領域の音が小さくされ、縮小された「ニュース」側の音量が大きくされることが望ましい。なぜなら、「スポーツ」の場合は、映像が重要視されるため、表示サイズが大きくなれば、音声の必要性が小さくなくなるが、「ニュース」の場合は、音声が重要視されるため、表示サイズが小さければ、音量だけでも大きくしておくことが望ましいと考えられるからである。
【００６９】
そこで、この変更例２では、音量調整の制御パターンが複数用意されており、表示される２つの映像コンテンツのジャンルの組合せに応じて、音量が調整される構成とされている。
【００７０】
変更例２の構成では、メモリ１０６に、図４に示す音量増減テーブルに変えて、図８に示す音量増減テーブルが記憶されている。
【００７１】
図８の音量増減テーブルには、「制御１」「制御２」「制御３」の３つの制御パターンにおける第１スピーカ装置１１および第２スピーカ装置１２の音量の増減値が設定されている。「制御１」の制御パターンは、図４の音量増減テーブルの設定値と同じである。「制御２」の制御パターンでは、バー６が上方または下方の何れに移動しても（第１画面領域Ｒ１が拡大されても縮小されても）、第１スピーカ装置１１の音量が小さくされ、第２スピーカ装置１２の音量が大きくされる。「制御３」の制御パターンでは、「制御２」と反対に、バー６が上方または下方の何れに移動しても（第１画面領域Ｒ１が拡大されても縮小されても）、第１スピーカ装置１１の音量が大きくされ、第２スピーカ装置１２の音量が小さくされる。
【００７２】
メモリ１０６には、さらに、図９に示す制御パターン設定テーブルが記憶されている。制御パターン設定テーブルには、第１画面領域Ｒ１と第２画面領域Ｒ２に表示される映像コンテンツの組合せ毎に、適用される制御パターンが設定されている。たとえば、「スポーツ」以外のジャンルの組合せの場合は、「制御１」が適用される。また、「スポーツ」同士のジャンルの組合せの場合も、「制御１」が適用される。さらに、第１画面領域Ｒ１が「スポーツ」のジャンルで第２画面領域Ｒ２が「スポーツ」以外のジャンルの場合は、「制御２」が適用され、その反対に、第１画面領域Ｒ１が「スポーツ」以外のジャンルで第２画面領域Ｒ２が「スポーツ」のジャンルの場合は、「制御３」が適用される。
【００７３】
また、ＣＰＵ１００は、第１ＴＶモジュール１０２や第２ＴＶモジュール１０３などを介して外部から映像コンテンツを取得する際、以下のようにして、映像コンテンツのジャンル情報を取得する。たとえば、映像コンテンツが地上ディジタル放送波によって送られてくる場合には、放送波に含まれるＥＩＴ（Event Information Table）にジャンル情報
が配置されている。よって、ＣＰＵ１００は、このＥＩＴのジャンル情報を取得する。また、サーバーからストリーミング配信される映像コンテンツやサーバーからダウンロードされる映像コンテンツの場合には、ＣＰＵ１００は、サーバーへアクセスした際に、サーバーからその映像コンテンツのジャンル情報を取得する。さらに、映像コンテンツが地上アナログ放送波によって送られてくる場合には、放送波自身にジャンル情報は含まれていない。この場合、ＣＰＵ１００は、予め放送局などにアクセスし、ＥＰＧ（電子番組表）を入手しておく。このＥＰＧにはテレビ番組（映像コンテンツ）のジャンル情報が含まれている。ＣＰＵ１００は、映像コンテンツが受信された時刻と受信チャンネルに基づいて、ＥＰＧ中からその映像コンテンツのジャンルを取得する。
【００７４】
こうして、変更例２の構成では、ダブル映像表示モードにおいて、図６に示す上記実施の形態と同様な音量制御がなされる。ただし、同図のステップＳ１０５において、ＣＰＵ
１００は、バー６の位置と各画面領域Ｒ１、Ｒ２に表示された映像コンテンツのジャンルに基づき、上記音量増減テーブルと制御パターン設定テーブルに従い、各映像コンテンツの音量を変更する。
【００７５】
図１０は、変更例２に係る、各画面領域Ｒ１、Ｒ２のサイズが変更されたときの表示画面と音量の状態を示す図である。同図（ａ）は、第１画面領域Ｒ１のジャンルが「スポーツ」であり第２画面領域Ｒ２のジャンルが「ニュース」であるときの例を示し、同図（ｂ）は、第１画面領域Ｒ１のジャンルが「ニュース」であり第２画面領域Ｒ２のジャンルが「スポーツ」であるときの例を示す。
【００７６】
「スポーツ」以外のジャンルの組合せ、および「スポーツ」同士のジャンルの組合せの場合には、「制御１」の制御パターンが適用され、上記実施の形態や変更例１と同様、拡大された画面領域の音量が大きくなる（図６および図７参照）。
【００７７】
一方、図１０（ａ）に示すように、第１画面領域Ｒ１が「スポーツ」で、第２画面領域Ｒ２が「ニュース」（「スポーツ」以外）の場合、「制御２」の制御パターンが適用され、バー６が下方へ移動して第１画面領域Ｒ１が拡大されると、第１画面領域Ｒ１（「スポーツ」）の音量が小さくなり、第２画面領域Ｒ２（「ニュース」）の音量が大きくなる。一方、第２画面領域Ｒ２が拡大されたときにも、第２画面領域Ｒ２の音量が大きくなり、第１画面領域Ｒ１の音量が小さくなる。
【００７８】
また、図１０（ｂ）に示すように、第１画面領域Ｒ１が「ニュース」（「スポーツ」以外）で、第２画面領域Ｒ２が「スポーツ」の場合、「制御３」の制御パターンが適用され、バー６が下方へ移動して第１画面領域Ｒ１が拡大されると、第１画面領域Ｒ１（「ニュース」）の音量が大きくなり、第２画面領域Ｒ２（「スポーツ」）の音量が小さくなる。一方、第２画面領域Ｒ２が拡大されたときにも、第２画面領域Ｒ２の音量が小さくなり、第１画面領域Ｒ１の音量が大きくなる。
【００７９】
このように、変更例２の構成によれば、画面領域のサイズ変更に連動して、映像コンテンツのジャンルに応じた音量の変更が行われるので、各映像コンテンツのジャンルに適合した音量調整を行うことができる。
【００８０】
なお、図１０（ａ）の例において、第１画面領域Ｒ１が拡大され、または縮小された場合に、第１画面領域Ｒ１の音声を消去（ミュート）するようにしてもよい。同様に、図１０（ｂ）の例において、第２画面領域Ｒ２が拡大され、または縮小された場合に、第２画面領域Ｒ２の音声を消去（ミュート）するようにしてもよい。
【００８１】
この変更例２の構成においても、上記実施の形態と同様、画面領域のサイズを変更することによって音量を調整した後に、画面領域をタップすることにより、さらに各画面領域Ｒ１、Ｒ２の音量を個々に調整することができる。
【００８２】
ＣＰＵ１００は、画面領域がタップされた際にどのように音量調整を行うかのモード設定を行う。図１１（ａ）は、モード設定動作のフローチャートを示し、図１１（ｂ）、（ｃ）は、モード設定動作によって設定される音量調整テーブルを示す。ＣＰＵ１００は、画面領域のサイズ変更がなされたと判断すると（Ｓ２０１：ＹＥＳ）、何れの制御パターンが適用されているかを判断する（Ｓ２０２）。「制御１」のパターンが適用されている場合、ＣＰＵ１００は、図１１（ｂ）に示す「音量調整テーブル１」を、音量調整に使用されるテーブルとして設定する。一方、「制御２」または「制御３」の制御パターンが適用されている場合、ＣＰＵ１００は、図１１（ｃ）に示す「音量調整テーブル２」を、音量調整に使用されるテーブルとして設定する。
【００８３】
こうしてモード設定が行われることにより、たとえば、図１０（ａ）に示すジャンルの組合せの場合には、図１１（ｃ）に示す音量調整テーブル２の「制御２」の設定値が適用される。これにより、各画面領域Ｒ１、Ｒ２の何れが拡大されている場合であっても、ユーザが第１画面領域Ｒ１をタップすれば、「スポーツ」の音量がさらに小さくなり、ユーザが第２画面領域Ｒ２をタップすれば、「ニュース」の音量がさらに大きくなる。
【００８４】
この変更例２の構成においては、図１０（ａ）、（ｂ）のジャンルの組合せの場合に、たとえば、「スポーツ」側の画面領域が拡大した状態から「ニュース」側の画面領域が拡大した状態までバー６を移動させると、バー６の移動中、「ニュース」側の画面領域では、音量が一旦小さくなってから再び大きくなり、また、「スポーツ」側の画面領域では、音声が一旦大きくなってから再び小さくなる。このため、このような音量の変化が、ユーザの耳障りになることもある。
【００８５】
これについては、ＣＰＵ１００に以下の制御を付加することにより解消できる。すなわち、ＣＰＵ１００は、図１２に示すように、バー６の移動開始位置Ａから、移動前と同じ音量となる位置Ｂまでの間において、バー６が継続的に移動されていれば、音量が変更されないよう音声出力回路１１１を制御する。そして、バー６が位置Ｂを越えた後は、バー６の位置に応じて、上記音量増減テーブルに従った音量変更制御を行う。このような構成とすれば、たとえば、音量が一旦小さくなってから再び大きくなるといった現象が生じないので、ユーザの耳障りになることもない。
【００８６】
なお、この場合、位置Ｂに到達するまでにバー６が停止し、その状態でユーザの指等が表示画面（バー６）から離れていなければ、その位置に応じた音量に変更することが望ましい。当然ながら、位置Ｂに到達するまでにバー６が停止し、その状態で、ユーザの指等が表示画面（バー６）から離れると、その位置に応じた音量に変更される。
【００８７】
また、この変更例２の構成では、ジャンルの組合せに応じて、適正と考えられる制御パターンを予め機器側で設定するようにしているが、ユーザによっては、設定したパターンが必ずしも適正でない場合もある。
【００８８】
そこで、ユーザが制御パターンを選択できる構成とすることもできる。たとえば、図１３に示すように、ダブル映像表示モードにおいて、表示画面の適当な位置、たとえば、第１画面領域Ｒ１の情報表示領域の所定位置に、ユーザ設定が行える選択ボタン１３が表示される。ユーザが選択ボタン１３を押すと、たとえば、「選択」となっていたボタンの表示が、ボタンを押すたびに、「制御１」→「制御２」というように切り替わる。こうして、選択された制御パターンが、そのときの音量調整の制御パターンに設定される。勿論、選択ボタン１３が押されなければ、機器側で予め設定された制御パターンが適用される。
【００８９】
このような構成とすれば、そのときに表示された２つの映像コンテンツのジャンルに応じて、ユーザが所望の音量調整の制御パターンを選ぶことができるので、ユーザの好みに応じた音量調整を行うことができる。
【００９０】
なお、このよう構成とした場合、図８に示す音量増減テーブルを、図１４に示す音量増減テーブルに替えることが望ましい。図１４の音量増減テーブルには、図９の制御パターン設定テーブルにデフォルト値として設定される３つの制御パターンに加え、ユーザが選択ボタン１３によって選択することができる「制御４」の制御パターンが設定されている。「制御４」の制御パターンでは、「制御１」とは反対に、バー６が下方へ移動される（第１画面領域Ｒ１が拡大される）と、第１スピーカ装置１１の音量が小さくされるとともに第２スピーカ装置１２の音量が大きくされ、バー６が上方へ移動される（第２画面領域
Ｒ２が拡大される）と、第２スピーカ装置１２の音量が小さくされるとともに第１スピーカ装置１１の音量が大きくされる。
【００９１】
このような構成とすれば、ユーザによる音量調整の制御パターンの選択範囲が広がるので、ユーザが、より好みに応じた音量調整を行うことができる。たとえば、ジャンルが「スポーツ」同士である場合、デフォルト値の「制御１」の制御パターンに替えて、「制御４」の制御パターンを選べば、ユーザは、大きなサイズで表示された「スポーツ」を見ながら、小さなサイズで表示された「スポーツ」の状況を大きな音量により確認することが可能となる。これにより、ユーザは、たとえば、各スポーツの盛り上がり状況に応じて、適宜、それぞれの画面領域の大きさを切り替えることができる。
【００９２】
この他、本発明の実施形態は、特許請求の範囲に示された技術的思想の範囲内において、適宜、種々の変更が可能である。
【符号の説明】
【００９３】
２      液晶表示パネル
４      タッチパネル（移動手段）
１００  ＣＰＵ（移動手段、画像表示手段、音量調整手段）
Ｒ１    第１画面領域（第１の画面領域）
Ｒ２    第２画面領域（第２の画面領域） 
【図１】
0005813046.tif 000002
【図２】
0005813046.tif 000003
【図３】
0005813046.tif 000004
【図４】
0005813046.tif 000005
【図５】
0005813046.tif 000006
【図６】
0005813046.tif 000007
【図７】
0005813046.tif 000008
【図８】
0005813046.tif 000009
【図９】
0005813046.tif 000010
【図１０】
0005813046.tif 000011
【図１１】
0005813046.tif 000012
【図１２】
0005813046.tif 000013
【図１３】
0005813046.tif 000014
【図１４】
0005813046.tif 000015